(57)【要約】【課題】レンズ鏡筒の構造を簡略化し、組み付け及びレンズの位置決めを容易に行えるようにする。【解決手段】レンズＧをその外周面Ｇ１を接合させることで一体的に保持する環状のホルダ４０、ホルダ４０を光軸方向Ｌの所望の位置に固定するべく光軸方向に軸線をもつ筒状部材３０、筒状部材３０を固定するベース２０を備え、ホルダ４０には、その外周面において光軸方向に軸線をもつ雄ネジ４２を形成し、筒状部材３０には、その内周面において雄ネジ４２を螺合させる雌ネジ３１を形成する。これにより、構造の簡略化を達成しつつ、レンズ及びホルダを筒状部材に固定することができ、又、ホルダのネジ込み量を適宜調整することで、レンズを光軸方向の所望の位置に微調整して位置決めすることができる。【選択図】  図２ 
2005172952.tif 000002
【特許請求の範囲】
【請求項１】
レンズの外周面を接合させてレンズを一体的に保持する環状のホルダと、前記ホルダを光軸方向の所望の位置に固定するべく光軸方向に軸線をもつ筒状部材と、を備えたレンズ鏡筒であって、
前記ホルダには、その外周面において、光軸方向に軸線をもつ雄ネジが形成され、
前記筒状部材には、その内周面において、前記雄ネジを螺合させる雌ネジが形成されている、
ことを特徴とするレンズ鏡筒。
【請求項２】
前記ホルダには、その光軸方向における端面において、工具を挿入するための溝が形成されている、
ことを特徴とする請求項１記載のレンズ鏡筒。
【請求項３】
レンズの外周面を接合させてレンズを一体的に保持する環状のホルダと、前記ホルダを光軸方向の所望の位置に固定するべく光軸方向に軸線をもつ筒状部材と、を備えたレンズ鏡筒であって、
前記ホルダには、その外周面において、径方向外側に突出する少なくとも二つのピンが形成され、
前記筒状部材には、その内周面において、前記ピンを受け入れると共に光軸方向に軸線をもつ少なくとも二つの螺旋状の溝が形成されている、
ことを特徴とするレンズ鏡筒。
【請求項４】
前記ホルダには、その光軸方向における端面において、工具を挿入するための溝が形成されている、
ことを特徴とする請求項３記載のレンズ鏡筒。
【請求項５】
前記レンズの後方には、撮像素子が配置されている、
ことを特徴とする請求項１ないし４いずれかに記載のレンズ鏡筒。
【発明の詳細な説明】
【技術分野】
【０００１】
本発明は、カメラ等の光学系に適用されるレンズ鏡筒に関し、特に、小型のデジタルカメラ等に搭載されるレンズ鏡筒に関する。
【背景技術】
【０００２】
従来のレンズ鏡筒としては、ＣＣＤ等の撮像素子を保持すると共に撮像素子の前方に開口部をもつホルダ受け部材、レンズを収容する凹部を形成する鍔付きのホルダ、凹部に収容されたレンズを押さえ込むようにホルダに固定される押え部材等を備え、ホルダ受け部材の開口部に雌ネジを形成し、又、ホルダの外周面に雄ネジを形成し、雄ネジを雌ネジに螺合することで、レンズを保持したホルダをホルダ受け部材に固定して、レンズを光軸方向の所望の位置に位置決めするものが知られている（例えば、特許文献１参照）。
【０００３】
また、レンズを保持する他の手法としては、レンズ素材とホルダ素材とを一体的にプレス成形して、環状のホルダにレンズを一体的に設けたホルダ付きレンズを形成し、このホルダ付きレンズを光学系の所望の位置に位置決めするために、ホルダを光軸方向の両側から挟み込むことにより、レンズを光軸方向の所望の位置に位置決めするものが知られている（例えば、特許文献２参照）。
【０００４】
【特許文献１】特開２００３−３２５２５号公報
【特許文献２】特開平６−１４４８５３号公報
【発明の開示】
【発明が解決しようとする課題】
【０００５】
ところで、上記従来のレンズ鏡筒においては、レンズを光軸方向の所望の位置に位置決めするために、先ずレンズをホルダの凹部に嵌め込み、続いて押え部材をホルダに嵌め込んでレンズを押圧して保持し、このレンズを保持したホルダをホルダ受け部材に螺合させる構造であるため、構造が複雑であり、組み付けの段取りが多くて、レンズの組み付け及び位置合わせ（焦点合わせ）が困難であった。
また、上記従来のホルダ付きレンズにおいては、光軸方向において対向する部材により環状のホルダを挟み込むことでレンズを保持するため、レンズは光軸方向の予め設定された位置に位置決めされることになり、焦点合わせ等の微調整を行うことが困難であった。
【０００６】
本発明は、上記の事情に鑑みて成されたものであり、その目的とするところは、できるだけ部品点数を削減して構造の簡略化を図りつつ、組み付け作業を容易に行え、しかも光軸方向における位置決め、焦点合わせ等の微調整を容易に行えるレンズ鏡筒を提供することにある。
【課題を解決するための手段】
【０００７】
本発明のレンズ鏡筒は、レンズの外周面を接合させてレンズを一体的に保持する環状のホルダと、ホルダを光軸方向の所望の位置に固定するべく光軸方向に軸線をもつ筒状部材と、を備えたレンズ鏡筒であって、上記ホルダには、その外周面において光軸方向に軸線をもつ雄ネジが形成され、上記筒状部材には、その内周面において雄ネジを螺合させる雌ネジが形成されている、ことを特徴としている。
この構成によれば、ホルダがレンズの外周面を介してレンズを一体的に保持すると共に、レンズを一体的に保持したホルダの雄ネジを筒状部材の雌ネジに螺合させる構成を採用したことにより、構造の簡略化を達成しつつ、レンズ及びホルダを筒状部材に固定することができ、又、ホルダのネジ込み量を適宜調整することで、レンズを光軸方向の所望の位置に、微調整して位置決めすることができる。
【０００８】
上記構成において、ホルダには、その光軸方向における端面において、工具を挿入するための溝が形成されている、構成を採用することができる。
この構成によれば、レンズを一体的に保持したホルダを筒状部材に組み付ける際に、溝に工具を挿入してホルダを回転させることで、ホルダを容易に組み付けることができ、又、ねじ込み量の微調整も容易に行うことができる。
【０００９】
また、本発明のレンズ鏡筒は、レンズの外周面を接合させてレンズを一体的に保持する環状のホルダと、ホルダを光軸方向の所望の位置に固定するべく光軸方向に軸線をもつ筒状部材と、を備えたレンズ鏡筒であって、上記ホルダには、その外周面において径方向外側に突出する少なくとも二つのピンが形成され、上記筒状部材には、その内周面においてピンを受け入れると共に光軸方向に軸線をもつ少なくとも二つの螺旋状の溝が形成されている、ことを特徴としている。
この構成によれば、ホルダがレンズの外周面を介してレンズを一体的に保持すると共に、レンズを一体的に保持したホルダのピンを筒状部材の内周面に形成された螺旋状の溝に挿入してホルダを所定角度回転させる構成を採用したことにより、構造の簡略化を達成しつつ、レンズ及びホルダを筒状部材に固定することができ、又、ホルダの回転量を適宜調整することで、レンズを光軸方向の所望の位置に、微調整して位置決めすることができる。
【００１０】
上記構成において、ホルダには、その光軸方向における端面において、工具を挿入するための溝が形成されている、構成を採用することができる。
この構成によれば、レンズを一体的に保持したホルダを筒状部材に組み付ける際に、溝に工具を挿入してホルダを回転させることで、ホルダを容易に組み付けることができ、又、ホルダの回転角度の微調整も容易に行うことができる。
【００１１】
上記両発明の構成において、レンズの後方には、撮像素子が配置されている、構成を採用することができる。
この構成によれば、撮像素子により撮影される画像をモニターしながら、ホルダを適宜回転させることで、撮像素子に対するレンズの焦点合わせを行うことができる。
【発明の効果】
【００１２】
上記構成をなすレンズ鏡筒においては、レンズを保持したホルダに対して雄ネジ又はピンを設け、筒状部材に雌ネジ又は螺旋状の溝を設けたことにより、構造を簡略化しつつ、光軸方向におけるレンズの位置決め及びその微調整を容易に行うことができる。
【発明を実施するための最良の形態】
【００１３】
以下、本発明の最良の実施形態について、添付図面を参照しつつ説明する。
図１ないし図３は、本発明に係るレンズ鏡筒の一実施形態を示すものであり、図１は外観斜視図、図２は断面図、図３はレンズ及びホルダを示す平面図及び断面図である。
【００１４】
このレンズ鏡筒は、図１に示すように、撮像素子としてのＣＣＤ１０を保持するベース２０、ベース２０に対して固定された円筒状の筒状部材３０、レンズＧを一体的に保持すると共に筒状部材３０に固定される環状のホルダ４０等により構成されている。
【００１５】
ベース２０は、図１及び図２に示すように、略矩形形状に形成されており、その内部において、撮像素子としてのＣＣＤ１０、ＣＣＤ１０の前方において光学フィルタプレート２１を保持している。尚、ＣＣＤ１０は回路基板に接続されて、被写体を撮影できるようになっている。
【００１６】
筒状部材３０は、図２に示すように、光軸方向Ｌに軸線をもつように、樹脂材料により、内径約φ６ｍｍ〜φ１０ｍｍ程度の円筒状に形成されて、その後端部がベース２０に固定されている。また、筒状部材３０には、その内周面において、光軸方向Ｌに軸線をもつ雌ネジ３１が形成されている。
【００１７】
ホルダ４０は、図１ないし図３に示すように、金属材料により、外径約φ６ｍｍ〜φ１０ｍｍ程度、幅約１ｍｍ〜２ｍｍ程度、厚さ約０．７ｍｍ〜１．２ｍｍ程度の円環状に形成されており、その内周面４１においてレンズＧを一体的に保持している。また、ホルダ４０には、その外周面において筒状部材３０の雌ネジ３１に螺合される雄ネジ４２が形成され、さらに、その光軸方向Ｌの前端面４３上において二つの溝４３ａが形成されている。二つの溝４３ａは、ホルダ４０の中心を通る直線上に並ぶように形成されており、ホルダ４０を筒状部材３０にねじ込む際に用いる工具を挿入するためのものである。
【００１８】
レンズＧは、図３に示すように、凸状のレンズであり、その外周面Ｇ１がホルダ４０の内周面４１に接合されている。その接合方法としては、接着剤を用いても良く、又、ホルダ４０に対して成形により接合してもよい。
このように、レンズＧは、外周面Ｇ１が内周面４１に接合されることにより、環状のホルダ４０に一体的に保持されているため、構造が簡略化されると同時に、光軸方向Ｌにおいて挟持して保持するような構造に比べて薄型化され、又、ホルダ４０を筒状部材３０に直接螺合させるため、構造が簡略化されると同時に、径方向において小径化される。
【００１９】
次に、このレンズ鏡筒の組み付け及び調整作業について説明する。
先ず、レンズＧがホルダ４０に一体的に保持され、ＣＣＤ１０及び筒状部材３０等がベース２０に固定された状態で、図１に示すように、筒状部材３０を上向きに配置して、ホルダ４０を筒状部材３０の開口端に載せる。
そして、工具の先端を溝４３ａに挿入して、ホルダ４０を回転させつつ、ホルダ４０の雄ネジ４２を筒状部材３０の雌ネジ３１に螺合し、所定の回転角度だけねじ込む。これにより、ホルダ４０及びレンズＧは、筒状部材３０に保持される。
【００２０】
続いて、ＣＣＤ１０の電源をＯＮにして、所定の撮影チャートをＣＣＤ１０により撮影してモニター上に表示させ、このモニター画像を眺めながら、画像が鮮明になるようにホルダ４０のねじ込み量を微調整する。
これにより、レンズＧの焦点合わせが完了すると同時に、ホルダ４０及びレンズＧが、光軸方向Ｌの所定位置に位置決めされて筒状部材３０に固定（保持）される。尚、適宜、接着剤等を塗布することにより、ホルダ４０を堅固に固定することができる。
【００２１】
このように、レンズ鏡筒が全体的に小型で取り扱い難いにも拘わらず、全体の構造が簡略化されて、レンズＧの保持構造も簡単であるため、組み付け作業を容易に行うことができ、レンズＧの焦点合わせに際しても、容易に微調整を行うことができる。したがって、流れ作業等によりレンズ鏡筒を生産する場合に、生産性が向上する。
【００２２】
図４ないし図６は、本発明に係るレンズ鏡筒の他の実施形態を示すものであり、前述の実施形態と同一の構成については同一の符号を付してその説明を省略する。
この実施形態では、前述の実施形態に対して、筒状部材３０´とホルダ４０´を変更したものである。
【００２３】
すなわち、筒状部材３０´は、図４及び図６に示すように、光軸方向Ｌに軸線をもつように、樹脂材料により、内径約φ６ｍｍ〜φ１０ｍｍ程度の円筒状に形成されて、その後端部がベース２０に固定されている。筒状部材３０´には、その内周面において、光軸方向Ｌに軸線をもつ二つの螺旋状の溝３１´が形成されている。螺旋状の溝３１´は、断面が略矩形形状をなし、後述するピン４２´をガタツキなく摺動自在に受け入れる寸法に形成されている。
【００２４】
ホルダ４０´は、図４ないし図６に示すように、金属材料により、外径約φ６ｍｍ〜φ１０ｍｍ程度、幅約１ｍｍ〜２ｍｍ程度、厚さ約１．０ｍｍ〜１．５ｍｍ程度の円環状に形成されており、その内周面４１においてレンズＧを一体的に保持している。ホルダ４０´には、その外周面において筒状部材３０´の溝３１´に挿入される二つのピン４２´が形成され、さらに、その光軸方向Ｌの前端面４３上において二つの溝４３ａが形成されている。二つのピン４２´は、それぞれ外径約φ１．０ｍｍ〜φ１．２ｍｍ程度の円柱状に形成され、ホルダ４０´の中心を通る直線上に並ぶように形成されている。
【００２５】
次に、このレンズ鏡筒の組み付け及び調整作業について説明する。
先ず、レンズＧがホルダ４０´に一体的に保持され、ＣＣＤ１０及び筒状部材３０´等がベース２０に固定された状態で、図１に示すように、筒状部材３０´を上向きに配置して、ホルダ４０´を筒状部材３０´の開口端に載せ、ピン４２´を螺旋状の溝３１´に落とし込む。
そして、工具の先端を溝４３ａに挿入して、ホルダ４０´を回転させつつ、ホルダ４０´のピン４２´を筒状部材３０´の溝３１´に沿って所定の深さ（奥行き）まで移動させる。これにより、ホルダ４０´及びレンズＧは、筒状部材３０´に保持される。
【００２６】
続いて、ＣＣＤ１０の電源をＯＮにして、所定の撮影チャートをＣＣＤ１０により撮影してモニター上に表示させ、このモニター画像を眺めながら、画像が鮮明になるようにホルダ４０´の回転角度を微調整する。
これにより、レンズＧの焦点合わせが完了すると同時に、ホルダ４０´及びレンズＧが、光軸方向Ｌの所定位置に位置決めされて筒状部材３０´に固定（保持）される。尚、適宜、接着剤等を塗布することにより、ホルダ４０´を堅固に固定することができる。
【００２７】
このように、レンズ鏡筒が全体的に小型で取り扱い難いにも拘わらず、全体の構造が簡略化されて、レンズＧの保持構造も簡単であるため、組み付け作業を容易に行うことができ、レンズＧの焦点合わせに際しても、容易に微調整を行うことができる。したがって、流れ作業等によりレンズ鏡筒を生産する場合に、生産性が向上する。
【００２８】
上記実施形態においては、ホルダ４０，４０´を金属材料により形成したが、これに限定されるものではなく、機械的強度が確保されれば樹脂材料により形成してもよい。
上記実施形態においては、ホルダ４０，４０´の端面４３上に二つの溝４３ａを設けたが、三つあるいは四つの溝を設けてもよい。
上記実施形態においては、ホルダ４０´の外周面に二つのピン４２´を設けたが、周方向において等間隔に配列された三つあるいは四つ、さらにはそれ以上のピンを設けてもよい。
上記実施形態においては、レンズ鏡筒が適用される光学ユニットとして、光軸方向Ｌの後方に撮像素子（ＣＣＤ１０）が配置されるデジタルカメラを示したが、これに限定されるものではなく、その他の光学ユニットにおいても、本発明のレンズ鏡筒を適用することができる。
【産業上の利用可能性】
【００２９】
以上述べたように、本発明のレンズ鏡筒は、構造の簡略化、小型化を達成しつつ、組み付けが容易で、しかもレンズの焦点合わせを容易に行えるため、特に、量産される光学ユニット、例えば、携帯電話機、携帯型パーソナルコンピュータ等の携帯情報端末機の光学ユニット等において使用することができる。
【図面の簡単な説明】
【００３０】
【図１】本発明に係るレンズ鏡筒の一実施形態を示す外観斜視図である。
【図２】本発明に係るレンズ鏡筒の一実施形態を示す断面図である。
【図３】図２に示すレンズ鏡筒の一部をなすホルダ及びレンズを示すものであり、（ａ）はその平面図、（ｂ）は（ａ）中のＥ１−Ｅ１における断面図である。
【図４】本発明に係るレンズ鏡筒の他の実施形態を示す断面図である。
【図５】図４に示すレンズ鏡筒の一部をなすホルダ及びレンズを示すものであり、（ａ）はその平面図、（ｂ）は（ａ）中のＥ２−Ｅ２における断面図である。
【図６】図４に示すレンズ鏡筒の一部をなす筒状部材及びホルダを示す斜視断面図である。
【符号の説明】
【００３１】
Ｇ  レンズ
Ｇ１  レンズの外周面
Ｌ  光軸方向
１０  ＣＣＤ（撮像素子）
２０  ベース
３０，３０´  筒状部材
３１  雌ネジ
３１´  螺旋状の溝
４０，４０´  環状のホルダ
４１  ホルダの内周面
４２  雄ネジ
４２´  ピン
４３  前端面
４３ａ  溝
【図１】
2005172952.tif 000003
【図２】
2005172952.tif 000004
【図３】
2005172952.tif 000005
【図４】
2005172952.tif 000006
【図５】
2005172952.tif 000007
【図６】
2005172952.tif 000008